(57)【要約】【課題】光ディスク記録装置において、光ディスク内に格納されたデータの消去後に、ユーザがデータ消去前のデータを再度用いることができるようにすると共に、部品点数を削減してコストの低下を図る。【解決手段】データ消去前に、データ読み出し手段は、光ディスクのファイル管理情報領域Ａから、ユーザデータを管理するファイル管理情報を読み出し、データ記録手段は、当該情報をユーザデータ領域Ｂの外側に書き込んで退避させる。このため、他の記憶媒体にデータを退避させる必要がなく、部品点数を削減できる。当該情報の退避後、データ記録手段はファイル管理情報領域Ａのデータを消去する。データ消去取消指示手段の信号に応じ、データ消去後に、データ読み出し手段は退避させたファイル管理情報を読み出す。データ記録手段は当該情報をファイル管理情報領域Ａに復帰させ、ユーザがデータ消去前のデータを再び用いることができるようにする。【選択図】図２
2007080361.tif 000002
【特許請求の範囲】
【請求項１】
光ディスクにデータを記録するデータ記録手段と、
ユーザデータが格納されたユーザデータ領域と、前記ユーザデータを管理するファイル管理情報が格納されたファイル管理情報領域と、全データの終端を示す終端領域とを有する光ディスクに記録されたデータを読み出すデータ読み出し手段と、
ユーザの操作に基づき、前記データ記録手段にデータの消去を指示するデータ消去実行指示手段と、を備えた光ディスク記録装置において、
ユーザの操作に基づき、前記データ記録手段及び前記データ読み出し手段に、データ消去の指示の取消を指示するデータ消去取消指示手段と、
前記データ読み出し手段により読み出されたデータから、ユーザが利用可能なファイル管理情報を選び出す情報選出手段と、
同一のユーザデータを管理する分割されたファイル管理情報を結合して最適化するデータ最適化手段と、を備え、
前記データ消去実行指示手段の信号に応じて、データ消去前に、
前記データ読み出し手段は前記ファイル管理情報領域からデータを読み出すと共に、前記情報選出手段は前記により読み出されたデータからファイル管理情報を選び出し、前記データ最適化手段は前記により選び出されたファイル管理情報を最適化し、前記データ記録手段は、前記ユーザデータ領域の外側であって前記終端領域上に、ヘッダと、前記により最適化されたファイル管理情報と、前記ヘッダのバックアップと、前記終端領域とを書き込んで前記ファイル管理情報を退避させ、前記ヘッダは、前記ファイル管理情報領域の位置情報と、前記ファイル管理情報を格納する位置の情報とを含み、
前記ファイル管理情報の退避後に、前記データ記録手段は、前記ファイル管理情報領域内に、前記ファイル管理情報を消去するためのデータを記録し、
前記データ消去取消指示手段の信号に応じて、データ消去後に、
前記ヘッダの情報に基づいて、前記データ読み出し手段は、前記ユーザデータ領域の外側から前記により退避されたファイル管理情報を読み出すと共に、前記データ記録手段は、前記ファイル管理情報領域に前記により読み出されたファイル管理情報を書き込んで復帰させ、
データ消去後に、ユーザがデータ消去前のデータを用いることができるようにしたことを特徴とする光ディスク記録装置。
【請求項２】
光ディスクにデータを記録するデータ記録手段と、
ユーザデータが格納されたユーザデータ領域と、前記ユーザデータを管理するファイル管理情報が格納されたファイル管理情報領域と、全データの終端を示す終端領域とを有する光ディスクに記録されたデータを読み出すデータ読み出し手段と、
ユーザの操作に基づき、前記データ記録手段にデータの消去を指示するデータ消去実行指示手段と、を備えた光ディスク記録装置において、
ユーザの操作に基づき、前記データ記録手段及び前記データ読み出し手段に、データ消去の指示の取消を指示するデータ消去取消指示手段を備え、
前記データ消去実行指示手段の信号に応じて、データ消去前に、
前記データ読み出し手段は前記ファイル管理情報領域からデータを読み出し、前記データ記録手段は、前記ユーザデータ領域の外側であって前記終端領域上に、ヘッダと、前記により読み出されたデータと、前記ヘッダのバックアップと、前記終端領域とを書き込んで前記データを退避させ、前記ヘッダは、前記ファイル管理情報領域の位置情報と、前記データを格納する位置の情報とを含み、
前記データの退避後に、前記データ記録手段は、前記ファイル管理情報領域内に、前記ファイル管理情報を消去するためのデータを記録し、
前記データ消去取消指示手段の信号に応じて、データ消去後に、
前記ヘッダの情報に基づいて、前記データ読み出し手段は、前記ユーザデータ領域の外側から前記により退避されたデータを読み出すと共に、前記データ記録手段は、前記ファイル管理情報領域に前記により読み出されたデータを書き込んで復帰させ、
データ消去後に、ユーザがデータ消去前のデータを用いることができるようにしたことを特徴とする光ディスク記録装置。
【請求項３】
前記データ読み出し手段により読み出されたデータから、ユーザが利用可能なファイル管理情報を選び出す情報選出手段を備え、
前記データ消去実行指示手段の信号に応じて、データ消去前に、
前記情報選出手段は、前記データ読み出し手段により読み出されたデータからファイル管理情報を選び出し、前記データ記録手段は、前記ユーザデータ領域の外側であって前記終端領域上に、前記により選び出されたファイル管理情報を記録することを特徴とする請求項２に記載の光ディスク記録装置。
【発明の詳細な説明】
【技術分野】
【０００１】
本発明は、光ディスクのデータ消去機能を有する光ディスク記録装置に関する。
【背景技術】
【０００２】
従来から、光ディスクを再生し、データを光ディスクに記録することができると共に、光ディスクのデータを消去できる光ディスク記録装置が知られている。データを記録することができる光ディスクには、一度だけ書き込みが可能なライトワンス型光ディスクと、一定回数まで何度でも書き換え可能な書き換え型光ディスクがある。ライトワンス型光ディスクには、例えば、ＣＤ−Ｒ（ＣＤ  Ｒｅｃｏｒｄａｂｌｅ）、ＤＶＤ−Ｒ（ＤＶＤ  Ｒｅｃｏｒｄａｂｌｅ）、ＤＶＤ＋Ｒ（ＤＶＤ  Ｒｅｃｏｒｄａｂｌｅ）がある。書き換え型光ディスクには、例えば、ＣＤ−ＲＷ（ＣＤ  Ｒｅｗｒｉｔａｂｌｅ）、ＤＶＤ−ＲＷ（ＤＶＤ  Ｒｅｗｒｉｔａｂｌｅ）、ＤＶＤ＋ＲＷ（ＤＶＤ  Ｒｅｗｒｉｔａｂｌｅ）、ＤＶＤ−ＲＡＭ（ＤＶＤ  Ｒａｎｄｏｍ  Ａｃｃｅｓｓ  Ｍｅｍｏｒｙ）がある。
【０００３】
書き換え型光ディスクの場合、書き込まれたデータに新たなデータを上書きしたり、既に記録されている情報を消去したりできる。ユーザが光ディスクに記録された情報を消去する場合、光ディスクが挿入された光ディスク記録装置や当該装置を搭載するパソコンに接続されたモニタに、消去の実行を確認する画面が表示される。ユーザが消去の実行を選択すると、光ディスクに記録された情報は消去され、ユーザが消去された情報を再度利用することができなかった。そのため、ユーザが誤ってデータの消去を行った場合や、ユーザ以外の者が故意又は過失によりデータを消去した場合に、ユーザが消去されたデータを再び用いることができなかった。なお、光ディスクのように記録済みデータを消去できる記録媒体には、例えば光磁気ディスクがあり、データを消去処理するとデータを再び用いることができないという同じ課題を有している。
【０００４】
そこで、データの消去後に再度当該データを利用できるように、光磁気ディスクの例であるが、ホストからデータ記録装置にデータを転送する際に、転送されたデータを保存するデータ保存手段を有するデータ記録装置が知られている。当該装置は、データ記録前に記録済みデータの消去を要する記録媒体である光磁気ディスクにデータを記録する。データの記録の際に、当該装置は、当該ディスクに記録済みのデータを消去すると同時に、新たなデータをホストから当該装置に転送する。ホストからのデータ転送中にエラーを検知した場合であって、既に消去されたデータに対応するデータがデータ保存手段に保存されている場合、当該ディスクにデータが復元される（例えば、特許文献１参照）。また、光ディスク及び光磁気ディスクの例であるが、データ記録時にエラーが発生した場合、電源投入時にディスクカートリッジに設けたバックアップメモリに格納されているデータをディスクに記録することにより、データを復元する書き込みエラー処理方式が知られている。当該方式は、データを記録する際に、ディスクカートリッジに設けられたバックアップメモリにデータを書き、次にディスクにデータを記録する（例えば、特許文献２参照）。また、記録媒体上に記録された情報を所望しない記録又は消去から保護するための記録防止情報を格納する記録媒体が知られている。当該媒体は、データの記録時又は消去時に、当該情報をチェックする段階を有し、当該情報に応じて記録媒体上にデータの記録又は消去を禁止する（例えば、特許文献３参照）。
【特許文献１】再公表０２−０３５３３８号公報
【特許文献２】特開２００３−２６３８４０号公報
【特許文献３】特開２０００−０３６１６１号公報
【発明の開示】
【発明が解決しようとする課題】
【０００５】
しかしながら、特許文献１のデータ記録装置では、新たなデータの記録に伴って、光磁気ディスクの記録済みデータが消去される時に、ホストからのデータ転送中にエラーが検知された場合、消去されたデータがデータ保存手段に保存されていなければ、消去されたデータを光磁気ディスクに復帰させることができなかった。当該装置では、転送されたデータを保存するための記録媒体が必要となり、当該装置のコストが高くなっていた。ユーザがデータの消去を誤って指示した場合、ユーザの指示に基づいて、データの消去後にデータを復帰させることができなかった。また、特許文献２に記載のエラー処理方式では、データ記録時にエラーが発生した場合、データを光ディスク等に復元することができるが、記録済みのデータを消去した場合、ユーザの指示に応じてデータを光ディスクに復帰させることはできなかった。また、特許文献３に記載の記録媒体では、所望しないデータの記録又は消去から保護するための記録防止情報が格納され、ユーザ以外による消去等を防止することができるが、ユーザが誤ってデータを消去した時に、ユーザが消去されたデータを再度利用することができなかった。
【０００６】
本発明は、上記課題を解決するためになされたものであり、光ディスクのデータを消去した後に、ユーザがデータ消去前のデータを再度用いることができると共に、部品点数を削減してコストダウンを図ることができる光ディスク記録装置を提供することを目的とする。
【課題を解決するための手段】
【０００７】
上記目的を達成するために請求項１の発明は、光ディスクにデータを記録するデータ記録手段と、ユーザデータが格納されたユーザデータ領域と、前記ユーザデータを管理するファイル管理情報が格納されたファイル管理情報領域と、全データの終端を示す終端領域とを有する光ディスクに記録されたデータを読み出すデータ読み出し手段と、ユーザの操作に基づき、前記データ記録手段にデータの消去を指示するデータ消去実行指示手段と、を備えた光ディスク記録装置において、ユーザの操作に基づき、前記データ記録手段及び前記データ読み出し手段に、データ消去の指示の取消を指示するデータ消去取消指示手段と、前記データ読み出し手段により読み出されたデータから、ユーザが利用可能なファイル管理情報を選び出す情報選出手段と、同一のユーザデータを管理する分割されたファイル管理情報を結合して最適化するデータ最適化手段と、を備え、前記データ消去実行指示手段の信号に応じて、データ消去前に、前記データ読み出し手段は前記ファイル管理情報領域からデータを読み出すと共に、前記情報選出手段は前記により読み出されたデータからファイル管理情報を選び出し、前記データ最適化手段は前記により選び出されたファイル管理情報を最適化し、前記データ記録手段は、前記ユーザデータ領域の外側であって前記終端領域上に、ヘッダと、前記により最適化されたファイル管理情報と、前記ヘッダのバックアップと、前記終端領域とを書き込んで前記ファイル管理情報を退避させ、前記ヘッダは、前記ファイル管理情報領域の位置情報と、前記ファイル管理情報を格納する位置の情報とを含み、前記ファイル管理情報の退避後に、前記データ記録手段は、前記ファイル管理情報領域内に、前記ファイル管理情報を消去するためのデータを記録し、前記データ消去取消指示手段の信号に応じて、データ消去後に、前記ヘッダの情報に基づいて、前記データ読み出し手段は、前記ユーザデータ領域の外側から前記により退避されたファイル管理情報を読み出すと共に、前記データ記録手段は、前記ファイル管理情報領域に前記により読み出されたファイル管理情報を書き込んで復帰させ、データ消去後に、ユーザがデータ消去前のデータを用いることができるようにしたことを特徴とする。
【０００８】
請求項２の発明は、光ディスクにデータを記録するデータ記録手段と、ユーザデータが格納されたユーザデータ領域と、前記ユーザデータを管理するファイル管理情報が格納されたファイル管理情報領域と、全データの終端を示す終端領域とを有する光ディスクに記録されたデータを読み出すデータ読み出し手段と、ユーザの操作に基づき、前記データ記録手段にデータの消去を指示するデータ消去実行指示手段と、を備えた光ディスク記録装置において、ユーザの操作に基づき、前記データ記録手段及び前記データ読み出し手段に、データ消去の指示の取消を指示するデータ消去取消指示手段を備え、前記データ消去実行指示手段の信号に応じて、データ消去前に、前記データ読み出し手段は前記ファイル管理情報領域からデータを読み出し、前記データ記録手段は、前記ユーザデータ領域の外側であって前記終端領域上に、ヘッダと、前記により読み出されたデータと、前記ヘッダのバックアップと、前記終端領域とを書き込んで前記データを退避させ、前記ヘッダは、前記ファイル管理情報領域の位置情報と、前記データを格納する位置の情報とを含み、前記データの退避後に、前記データ記録手段は、前記ファイル管理情報領域内に、前記ファイル管理情報を消去するためのデータを記録し、前記データ消去取消指示手段の信号に応じて、データ消去後に、前記ヘッダの情報に基づいて、前記データ読み出し手段は、前記ユーザデータ領域の外側から前記により退避されたデータを読み出すと共に、前記データ記録手段は、前記ファイル管理情報領域に前記により読み出されたデータを書き込んで復帰させ、データ消去後に、ユーザがデータ消去前のデータを用いることができるようにしたことを特徴とする。
【０００９】
請求項３の発明は、請求項２に記載の光ディスク記録装置において、前記データ読み出し手段により読み出されたデータから、ユーザが利用可能なファイル管理情報を選び出す情報選出手段を備え、前記データ消去実行指示手段の信号に応じて、データ消去前に、前記情報選出手段は、前記データ読み出し手段により読み出されたデータからファイル管理情報を選び出し、前記データ記録手段は、前記ユーザデータ領域の外側であって前記終端領域上に、前記により選び出されたファイル管理情報を記録することを特徴とする。
【発明の効果】
【００１０】
以上のように、請求項１の発明によれば、データの消去前に、データ読み出し手段はファイル管理情報領域から、ユーザデータを管理するファイル管理情報を読み出す。データ記録手段は、ユーザデータ領域の外側に、ファイル管理情報領域の位置情報を含むヘッダとファイル管理情報とを記録して退避させる。ファイル管理情報の退避後に、データ記録手段はファイル管理情報領域のデータを消去する。データ消去取消指示手段の信号に応じて、データ消去後に、ヘッダの情報に基づいて、データ読み出し手段は、ユーザデータ領域の外側からファイル管理情報を読み出すと共に、データ記録手段はファイル管理情報領域にファイル管理情報を記録して復帰させる。このため、ユーザが誤ってデータの消去を光ディスク記録装置に指示し、データの消去が実行された場合等に、データの消去を取り消すように光ディスク記録装置を操作することにより、ユーザは消去前のデータを再び用いることができる。また、ファイル管理情報を光ディスク内の特定エリアに退避させるため、情報退避のための他の記憶媒体が不要となり、部品点数を削減してコストダウンを図ることができる。
【００１１】
データの消去前に、データ読み出し手段がファイル管理情報領域からデータを読み出す際、情報選出手段はユーザが利用可能なファイル管理情報を選び出す。このため、ユーザデータを管理するファイル管理情報を抜き出すことができる。また、上書きや消去により利用不可能となったファイル管理情報や、空き領域の情報を退避させないため、退避データのサイズを小さくすることができる。
【００１２】
データ最適化手段は、データ消去実行前に読み出されたファイル管理情報のうち、同一のユーザデータを管理する分割されたファイル管理情報を結合する。このため、データ消去後であってファイル管理情報の復帰後に、分割して配置されたファイル管理情報のアドレスへ転々とアクセスすることがなくなり、ファイル管理情報へのアクセス時間を短縮することができる。
【００１３】
請求項２の発明によれば、データの消去前に、データ読み出し手段はファイル管理情報領域から、ファイル管理情報を含むデータを読み出す。データ記録手段は、ユーザデータ領域の外側に、ファイル管理情報領域の位置情報を含むヘッダと当該データとを記録して退避させる。ファイル管理情報の退避後に、データ記録手段はファイル管理情報領域のデータを消去する。データ消去取消指示手段の信号に応じて、データ消去後に、データ読み出し手段は、ユーザデータ領域の外側から退避させたデータを読み出す。データ記録手段はヘッダの情報に基づいてファイル管理情報領域に当該データを記録して復帰させる。このため、ユーザは、データが消去された後に、データ消去前のデータを再び利用できる。また、ファイル管理情報を光ディスク内の特定エリアに退避させるため、情報退避のための他の記憶媒体を別途備えることが不要となり、部品点数を削減して低コスト化を図ることができる。
【００１４】
請求項３の発明によれば、データの消去前に、情報選出手段は、データ読み出し手段がファイル管理情報領域からデータを読み出す際、読み出されたデータからユーザが利用可能なファイル管理情報を選び出す。このため、ユーザが利用できるファイル管理情報を抜き出すことができ、利用不可能となったファイル管理情報や空き領域のデータを退避させないため、退避データのサイズを小さくすることができる。
【発明を実施するための最良の形態】
【００１５】
本発明の第１の実施の形態による光ディスク記録装置について図１乃至図３を参照して説明する。本発明の第１の実施の形態による光ディスクは、例えばＤＶＤ＋ＲＷであり、光ディスク記録装置は、例えば映像、音楽、音声等のデータを記録及び／又は再生するＤＶＤレコーダである。
【００１６】
図１は、光ディスク記録装置の構成を示している。光ディスク記録装置１は、光ディスク２にデータを記録したり、光ディスク２からデータを読み出したりするもので、光ディスク記録装置１を制御するためのＣＰＵ等からなる制御部３と、ユーザが制御部３へ指示を行うために操作するリモコン４及び操作部５と、データの記録及び／又は読み出しを行う光ヘッド６とを備え、さらに、ユーザに操作のためのメニュー画面を示すモニタ７が接続される。
【００１７】
光ディスク２は、ディスク挿入部（不図示）に挿入され、スピンドルモータ１１に装着される。スピンドルモータ１１は、制御部３により回転駆動され、装着された光ディスク２を回転させる。移動モータ１２は、リニアモータから成り、光ヘッド６を光ディスク２上でその半径方向に移動させる。
【００１８】
光ヘッド６は、光ディスク２にピットを形成することにより、光ディスク２に情報を記録し、また、光ディスク２に形成されているピットを検出することにより、光ディスク２に記録されている情報を読み取るものである。光ヘッド６は、半導体レーザ６１、コリメートレンズ６２、ビームスプリッタ６３、対物レンズ６４、集光レンズ６５、及び受光素子６６を備えている。
【００１９】
半導体レーザ６１は、レーザ駆動部１３により駆動されて光を出射する。半導体レーザ６１から出射された光は、コリメートレンズ６２、ビームスプリッタ６３、及び対物レンズ６４を介して光ディスク２上に集光照射される。また、光ディスク２で反射された光は、対物レンズ６４、ビームスプリッタ６３、集光レンズ６５を介して、受光素子６６上に集光される。対物レンズ６４は、レンズホルダ６７に保持されており、サーボ制御部１４により駆動制御されるフォーカシングコイル６８及びトラッキングコイル６９の磁気作用により、光ディスク２面と垂直な方向及び光ディスク２の半径方向に移動される。この対物レンズ６４の移動により、半導体レーザ６１から出射されて光ディスク２上に集光される光の集光点の位置及び集光スポット径が調整される。受光素子６６は、受光面が複数の領域に分割されており、受光面毎に受光強度に応じた電気信号を出力する。
【００２０】
このような構成の光ヘッド６は、半導体レーザ６１から出射される光を光ディスク２に照射して、光ディスク２の記録層を変質させることにより、光ディスク２にピットを形成する。記録層の変質した箇所では、光の反射率が変化する。光ヘッド６は、半導体レーザ６１から出射される光を光ディスク２に照射して、受光素子６６が光ディスク２からの反射光を受光することにより、光ディスク２の記録層に形成されているピットを検出する。ピットを検出する際には、光ディスク２の記録層が変質しないように、半導体レーザ６１から出射する光の強度が弱められる。
【００２１】
レーザ駆動部１３は、制御部３からの信号に基づき、半導体レーザ６１の発光タイミングや発光強度を制御する。ＲＦ信号処理部１５は、受光素子６６からの出力信号に基づいて、ＲＦ信号（反射強度信号）、フォーカシングエラー信号、及びトラッキングエラー信号を生成し出力する。サーボ制御部１４は、ＲＦ信号処理部１５からのフォーカシングエラー信号及びトラッキングエラー信号に基づいて、フォーカシングコイル６８及びトラッキングコイル６９を駆動し、これにより、対物レンズ６４を移動させて、光ディスク２上に照射される半導体レーザ６１からの光の集光点の位置を制御する。
【００２２】
放送信号受信部１６は、制御部３からの信号に基づき、受信周波数が放送局から配信されるテレビ放送信号の周波数に同調されることにより、アンテナ１６ａを介してテレビ放送信号を受信する。受信信号処理部１７は、制御部３からの信号に応じ、放送信号受信部１６で受信したテレビ放送信号を復調処理して映像・音声信号を生成する。信号入力部１８は制御部３からの信号に基づいて動作する。信号入力部１８には、信号入力端子１８ａを介してビデオカメラやデジタルカメラ、パソコン等の外部機器（不図示）から映像や音楽、文書等の情報を表す各種信号が入力される。
【００２３】
符号化処理部１９は、制御部３からの信号に基づき、受信信号処理部１７にて生成された映像・音声信号及び信号入力部１８から入力された信号を符号データとして光ディスク２に記録するために、それらの信号を所定の形式に符号化する。復号処理部２０は、制御部３からの信号に応じ、光ディスク２から読み取った符号データを復号する。
【００２４】
信号出力部２１は、制御部３からの信号に基づき、受信信号処理部１７にて生成された映像・音声信号、信号入力部１８から入力された信号、及び復号処理部２０にて復号された信号をモニタ７やスピーカ、パソコン等（不図示）の外部機器に出力する。ＯＳＤ処理部２２は、制御部３からの信号に応じ、オンスクリーン画像をモニタ７に表示するためのオンスクリーン画像信号を、受信信号処理部１７にて復号された映像信号、信号入力部１８から入力された信号、及び復号処理部２０にて復号された信号に重畳する。
【００２５】
メモリ２３は、制御部３からの信号に基づき、光ディスク２に記録する符号データ、及び光ディスク２から読み取った符号データ等を一時的に保存する。また、メモリ２３は、オンスクリーン画像を生成するためのグラフィックデータ等を記憶している。
【００２６】
リモコン４は、テレビ放送信号の受信チャンネルの選択、光ディスク２への映像や音楽、文書等の情報の記録、光ディスク２に記録されている情報の再生等、光ディスク記録装置１の各種動作を指示するためにユーザにより操作されるものである。リモコン４は、光ディスク記録装置１の各種動作を指示するためにユーザに操作される各種操作キーを備えており、各種操作キーが操作されることにより、その操作に対応付けられた赤外線コード信号を送出する。各種操作キーには、データ消去実行指示手段をなすデータ消去キー４１と、データ消去取消指示手段をなすデータ消去取消キー４２とが含まれる。ユーザがデータ消去キー４１を押し下げると、リモコン４は、光ディスク２に記録されたデータの消去を制御部３へ指示する。ユーザがデータ消去取消キー４２を押し下げると、リモコン４は、データ消去実行指示の取消を制御部３へ指示する。
【００２７】
リモコン受信部２４は、リモコン４から送出される赤外線信号を受信して電気信号に変換し、リモコン４の操作に対応する信号を制御部３へ出力する。表示部２５は、光ディスク記録装置１本体に設けられ、リモコン４により操作された内容や光ディスク記録装置１の動作状況等を表示する。ＲＯＭ２６は、制御部３の動作プログラムを格納している。
【００２８】
操作部５は、光ディスク２への映像等の情報の記録、光ディスク２に記録されている情報の再生等、光ディスク記録装置１の各種動作を指示するためにユーザに操作される各種操作ボタンを備えており、各種操作ボタンが操作されることにより、その操作に対応付けられた信号が制御部３へ送出される。操作部５には、データ消去実行指示手段をなすデータ消去ボタン５１と、データ消去取消指示手段をなすデータ消去取消ボタン５２とが含まれる。ユーザがデータ消去ボタン５１を押し下げると、光ディスク２に記録されたデータの消去が制御部３へ指示される。ユーザがデータ消去取消ボタン５２を押し下げると、データ消去実行指示の取消が制御部３へ指示される。
【００２９】
モニタ７は、制御部３からの信号に基づいて各種メニュー画面を表示し、メニューの中にデータ消去を指示するための項目を有する。ユーザがリモコン４又は操作部５を操作し、当該項目を選択すると、光ディスク２に記録されたデータの消去が制御部３へ指示される。また、モニタ７は、データ消去の指示を取り消すための項目を備える。ユーザがリモコン４又は操作部５を操作し、当該項目を選択すると、データの消去の指示を取り消す指示が制御部３へ出される。上記のように動作して、モニタ７と、制御部３と、リモコン４と、操作部５とはデータ消去実行指示手段及びデータ消去取消指示手段を構成する。
【００３０】
光ディスク２への情報の記録は、受信信号処理部１７にて生成された映像・音声信号又は信号入力部１８から入力された信号を符号化処理部１９にて符号化し、制御部３からの信号に基づき、光ヘッド６がその符号データに対応する長さ及び配列で光ディスク２にピットを形成させることにより行われる。
【００３１】
光ディスク２に記録されている情報の読み出しは、光ヘッド６により光ディスク２に形成されているピットを検出し、それによりＲＦ信号処理部１５から出力されるＲＦ信号をもとに制御部３にてピットの長さや配列を判別して符号データを読み取ることによって行われる。
【００３２】
光ディスク２には、記録トラックが所定のピッチで同心円状又は渦巻状に形成されている。記録トラックはさらに放射状に等分され、最小の記録単位であるセクタに分けられる。各セクタには、各セクタを識別するアドレス値がピットにより予め記録される。上記のように動作して、光ヘッド６及び制御部３はデータ記録手段、データ読み出し手段を構成する。
【００３３】
制御部３は、符号データの記録／読み出し動作において、光ヘッド６により光ディスク２に光を照射して反射光を受光すると共に、スピンドルモータ１１を回転させることにより光ディスク２を回転させる。そして、制御部３は、光ヘッド６により検出されるピットを基に、すなわちＲＦ信号処理部１５から出力されるＲＦ信号をもとに、各セクタのアドレス値を検出してセクタを識別し、セクタ単位で符号データの記録／読み出しを行う。
【００３４】
図２（ａ）〜（ｃ）は、上記のように構成された光ディスク記録装置１でデータを記録したＤＶＤ＋ＲＷ（ＶＲモード）のデータ構造を示している。ＶＲはＶｉｄｅｏ  Ｒｅｃｏｒｄｉｎｇの略である。同図においては、データ退避前後のデータ構造の変化と、退避させたデータの復帰後のデータ構造とを示している。ＤＶＤ＋ＲＷは、一定回数まで何度でもデータを書き換えることが可能な光ディスクである。ＤＶＤ＋ＲＷの形式でフォーマットされた光ディスクを用いて、ユーザはＤＶＤビデオプレーヤで再生できるＤＶＤビデオを作成したり、パソコンのＤＶＤ−ＲＯＭドライブで利用できる光ディスクを作成したりできる。また、ＤＶＤ＋ＲＷはＤＶＤ＋ＲＷ対応ビデオレコーダで使用することができる。ＶＲモードによってデータが記録されたＤＶＤ＋ＲＷ（ＤＶＤ＋ＶＲ）では、動画データの編集や映像データの追記ができ、ユーザがファイナライズをする必要がない。ファイナライズとは、データの追加記録を禁止するための処理である。また、ＤＶＤ−ＲＷ等で、メディアを一般のＤＶＤプレーヤやＤＶＤ−ＲＯＭドライブで認識できるようにするための処理である。
【００３５】
光ディスク２は、ユーザデータを格納するユーザデータ領域Ｂと、ユーザデータを管理するファイル管理情報を格納するファイル管理情報領域Ａと、全データの終端を示す終端領域とを有する。ファイル管理情報領域Ａは、論理セクタ番号（ＬＳＮ：Ｌｏｇｉｃａｌ  Ｓｅｃｔｏｒ  Ｎｕｍｂｅｒ）０×００００ｈ（１６進数）から０×３９９９ｈまでである。すなわち、ファイル管理情報領域Ａのサイズは０×４０００ｈである。ユーザデータ領域ＢはＬＳＮ０×４０００ｈから始まり、映像データといったユーザデータを格納する。終端領域はユーザデータ領域Ｂの外側に位置する。
【００３６】
図２（ａ）は、ユーザが例えば映像情報を２タイトル記録した後のデータ構造を示している。ユーザが、映像情報を１タイトル記録するために光ディスク記録装置１を操作すると、制御部３からの信号に応じて、光ヘッド６はＶＴＳ（Ｖｉｄｅｏ  Ｔｉｔｌｅ  Ｓｅｔ）を光ディスク２に記録する。なお、同図は、フォーマットや全データの消去により、ユーザデータとファイル管理情報とが消去された光ディスク２に、ユーザデータ等を記録した場合のデータ構造を示している。
【００３７】
ＶＴＳは、番組情報のかたまりであり、ＶＴＳＩ（Ｖｉｄｅｏ  Ｔｉｔｌｅ  Ｓｅｔ  Ｉｎｆｏｒｍａｉｔｏｎ）と、ＶＴＳＭ＿ＶＯＢＳ（Ｖｉｄｅｏ  Ｏｂｊｅｃｔｓ  ｆｏｒ  Ｖｉｄｅｏ  Ｔｉｔｌｅ  Ｓｅｔ  Ｍｅｎｕ）と、ＶＴＳＴＴ＿ＶＯＢＳ（Ｖｉｄｅｏ  Ｏｂｊｅｃｔｓ  ｆｏｒ  Ｔｉｔｌｅｓ  ｉｎ  ａ  Ｖｉｄｅｏ  Ｔｉｔｌｅ  Ｓｅｔ）と、ＶＴＳＩ（ＢＵＰ）とからなる。ＶＴＳＩは、ＶＴＳ＿＃＃＿０．ＩＦＯという一つのファイルからなっており、ＶＴＳの制御情報である。ＶＴＳＭ＿ＶＯＢＳは、ＶＴＳ＿＃＃＿０．ＶＯＢという一つのファイルからなっており、番組固有のメニュー画面の素材情報である。メニュー画面の素材には、静止画または動画が含まれる。番組固有のメニュー画面によって、番組固有のメニュー選択ができる。ＶＴＳＴＴ＿ＶＯＢＳは、ＶＴＳ＿＃＃＿＠．ＶＯＢという複数のファイルからなっており、映像情報である。ＶＴＳＩ（ＢＵＰ）は、ＶＴＳ＿＃＃＿０．ＢＵＰという一つのファイルからなっており、ＶＴＳＩのバックアップである。ＶＴＳＭ＿ＶＯＢＳは必ずしも必要ではないが、ＶＴＳＩと、ＶＴＳＴＴ＿ＶＯＢＳと、ＶＴＳＩ（ＢＵＰ）とは、ビデオを再生する上で必要である。なお、＃＃には０１から９９までの整数、＠は１から９までの整数が入る。ＶＴＳＩはファイル管理情報を構成し、ファイル管理情報領域Ａに記録される。ＶＴＳＭ＿ＶＯＢＳ（不図示）と、ＶＴＳＴＴ＿ＶＯＢＳと、ＶＴＳＩ（ＢＵＰ）とはユーザデータを構成し、ユーザデータ領域Ｂに記録される。図２（ａ）〜（ｃ）で、ＶＴＳＩ、ＶＴＳＴＴ＿ＶＯＢＳ、ＶＴＳＩ（ＢＵＰ）の後に続く番号は、光ディスク２に記録されたタイトルの番号を示している。
【００３８】
映像情報の二度目の追加記録が行われると、新たなＶＴＳＩ＃２がファイル管理情報領域Ａに、また新たなＶＴＳＴＴ＿ＶＯＢＳ＃２とＶＴＳＩ（ＢＵＰ）＃２とがユーザデータ領域Ｂに記録される。新たなＶＴＳＩ＃２は、１度目の記録の際に書き込まれたＶＴＳＩ＃１に続けて記録される。新たなＶＴＳＴＴ＿ＶＯＢＳ＃２は、１度目の記録により書き込まれたＶＴＳＴＴ＿ＶＯＢＳ＃１に続けて、また新たなＶＴＳＩ（ＢＵＰ）＃２は、記録済みのＶＴＳＩ（ＢＵＰ）＃１に続けて記録される。なお、新たにデータをディスクに書き込む際にユーザデータ領域Ｂ及び／又はファイル管理情報領域Ａに空きがない場合、またはユーザが既に書き込まれたユーザデータの消去を指示する場合、次の新しいユーザデータ及び／又はファイル管理情報は、既に書き込まれたユーザデータ及び／又はファイル管理情報に上書きされることがある。
【００３９】
ファイル管理情報は、さらに、例えばＵＤＦ（Ｕｎｉｖｅｒｓａｌ  Ｄｉｓｋ  Ｆｏｒｍａｔ）といったファイルシステム情報と、ＶＭＧ（Ｖｉｄｅｏ  Ｍａｎａｇｅｒ）とから構成され、ファイル管理情報領域Ａに格納される。制御部３からの信号に基づいて光ヘッド６は、ＶＭＧを特定のアドレスから記録し、ファイル管理情報領域Ａの先頭とＶＭＧが格納された領域の間にファイルシステム情報を書き込む。また光ヘッド６は、ファイル管理情報及びユーザデータを含む全データが書き込まれたセクタのうち、終端に位置するセクタの外側に、終端領域をなすテンポラリリードアウトを書き込む。テンポラリリードアウトは全データの終端位置を示す。
【００４０】
ＶＭＧは、ＶＭＧＩ（Ｖｉｄｅｏ  Ｍａｎａｇｅｒ  Ｉｎｆｏｒｍａｔｉｏｎ）と、ＶＭＧＭ＿ＶＯＢＳ（Ｖｉｄｅｏ  Ｏｂｊｅｃｔｓ  ｆｏｒ  Ｖｉｄｅｏ  Ｍａｎａｇｅｒ  Ｍｅｎｕ）と、ＶＭＧＩ（ＢＵＰ）とからなる。ＶＭＧＩは、ＶＩＤＥＯ＿ＴＳ．ＩＦＯという一つのファイルからなっており、ビデオ領域全体についての制御情報である。ＶＭＧＭ＿ＶＯＢＳは、ＶＩＤＥＯ＿ＴＳ．ＶＯＢという一つのファイルからなっており、ＤＶＤを再生した際に、最初にモニタ７に表示するメニュー画面の素材情報が入っている。メニュー画面の素材には、静止画または動画が含まれる。メニュー画面によってメニューの選択ができる。ＶＭＧＩ（ＢＵＰ）は、ＶＩＤＥＯ＿ＴＳ．ＢＵＰという一つのファイルからなっており、ＶＭＧＩのバックアップである。ＶＭＧＭ＿ＶＯＢＳは必ずしも必要ではないが、ＶＭＧＩと、ＶＭＧＩ（ＢＵＰ）とは、ビデオを再生する上で必要である。
【００４１】
図２（ｂ）は、ファイル管理情報を退避させた後のＤＶＤ＋ＲＷ（ＶＲモード）のデータ構造を示している。制御部３は、データ消去ボタン５１等からのデータ消去の指示を認識すると、光ヘッド６を用いて、ファイル管理情報領域Ａ内の全データを読み出す。また、制御部３は、ユーザデータ領域Ｂの外側であってテンポラリリードアウト上に、ヘッダと、読み出した全データと、ヘッダのバックアップを書き込んでデータを退避させる。退避されたデータの外側であって、ヘッダのバックアップの外側に、テンポラリリードアウトが光ヘッド６によって新たに書き込まれる。ファイル管理情報領域Ａから読み出されたデータには、ユーザデータを管理するＶＴＳＩ＃１、＃２と、ＶＭＧと、ＵＤＦ等のファイルシステム情報とが含まれる。さらに、当該データには、例えば、空き領域の情報が含まれる。データ退避の後、制御部３は、光ヘッド６を用いて、ファイル管理情報を消去するためのデータを記録する。例えば、制御部３は、ファイル管理情報領域Ａの全領域に０値を又は１値を記録したり、ランダムに０値及び１値を記録したりして上書きし、ファイル管理情報を消去する。このため、ユーザが誤ってデータの消去を光ディスク記録装置１に指示し、データ消去の処理が行われた場合等であっても、ユーザデータは消去されずファイル管理情報が消去され、データの消去に伴ってファイル管理情報領域Ａのデータが退避されるため、再度当該情報を利用することが可能である。また、光ディスク２の特定領域にファイル管理情報を退避させるため、退避されたデータの上に新たなデータが記録されるまで、データを復帰させることが可能となる。また、ファイル管理情報を光ディスク２内の特定エリアに退避させるため、情報退避のための他の記憶媒体が不要となり、部品点数を削減してコストダウンを図ることができる。
【００４２】
図２（ｃ）は、ファイル管理情報を復帰させた後のＤＶＤ＋ＲＷ（ＶＲモード）のデータ構造を示している。ユーザデータ領域Ｂの外側に書き込まれたヘッダの情報には、ファイル管理情報領域Ａのアドレスと、退避させるデータが格納される領域のアドレスと、データ退避前のテンポラリリードアウトのアドレスとが含まれる。制御部３は、データ消去取消ボタン５２等からデータ消去指示の取消の指示を認識すると、ヘッダの情報に基づいて、退避されたデータをユーザデータ領域Ｂの外側から読み出すと共に、読み出されたデータをファイル管理情報領域Ａに書き込んで復帰させる。ヘッダにアクセスできない場合や、ヘッダの情報を読み出すことができない場合は、ヘッダのバックアップにアクセスする。データ消去後に、光ディスク２が光ディスク記録装置１から取り出され、再び挿入された場合、制御部３はファイル管理情報の有無を確認する。当該情報が無い場合、制御部３はヘッダにアクセスすると共に、ヘッダの情報に基づいて、退避させたデータを読み出す。ヘッダの位置は、制御部３により判別されるテンポラリリードアウトの位置から、その前に格納されているヘッダのバックアップと、退避されたファイル管理情報の領域を遡って求められる。退避されたデータが復帰した後、テンポラリリードアウトがヘッダの情報に基づいてデータ退避前の位置に記録され、更新される（不図示）。このような手順により、データ消去後に、退避させたファイル管理情報をファイル管理情報領域Ａに復帰させることができ、復帰したファイル管理情報に基づいてユーザデータにアクセスし、データ消去前のデータを再び用いることが可能となる。
【００４３】
図３は、光ディスク記録装置１が、光ディスクに記録されたデータを消去する時の動作を示す。光ディスク記録装置１の電源をオンとし、ユーザが光ディスク２を光ディスク記録装置１に挿入すると、光ディスク記録装置１は待機状態となる。ユーザが操作部５に備えられたデータ消去ボタン５１またはリモコン４に備えられたデータ消去キー４１を押した場合や、モニタ７のメニュー画面にてデータ消去のための項目を選択した場合（＃１１でＹｅｓ）、制御部３はファイル管理情報領域Ａ内の全データを読み出して、ユーザデータ領域Ｂの外側にヘッダとそのバックアップと共に書き込んで退避させる（＃１２）。このため、ファイル管理情報領域Ａのデータを消去した後に、当該領域に納められていたファイル管理情報を再度利用することが可能となる。また、ファイル管理情報を光ディスク２内の特定の領域に退避させるため、部品点数を減らしてコストを下げることができる。データ消去ボタン５１を押さず、ユーザが他の操作を行わない場合（＃１１でＮｏ）、光ディスク記録装置１は待機状態にある。
【００４４】
ファイル管理情報領域内のデータ退避後、退避されたデータの外側であって、ヘッダのバックアップの外側に、全データの終端位置を示すテンポラリリードアウトが光ヘッド６により書き込まれる（＃１３）。その後、ファイル管理情報領域Ａ内の全データが消去される（＃１４）。
【００４５】
データ消去後、ユーザがデータ消去実行指示の取消を行わない場合（＃１５でＮｏ）、一連の動作が終了する。ユーザがデータ消去取消ボタン５２またはデータ消去取消キー４２を押した場合や、モニタ７のメニュー画面にてデータ消去の指示を取り消すための項目を選択した場合（＃１５でＹｅｓ）、制御部３は、ヘッダの情報に基づいて、ユーザデータ領域Ｂ外側に退避させたデータを読み出し、当該データをファイル管理情報領域Ａへ書き込んで復帰させる（＃１６）。データの復帰後、テンポラリリードアウトが、データ退避前の位置に書き込まれる（＃１７）。その後、一連の動作が終了する。このような動作により、ユーザはファイル管理情報に基づいてデータ消去前のユーザデータを再び用いることができる。
【００４６】
次に、第２の実施形態による光ディスク記録装置について図４及び図５を参照して説明する。第２の実施形態は、データ退避時に、読み出したデータからファイル管理情報を選び出し、選び出した当該情報を最適化する点で第1の実施形態と異なる。光ディスク記録装置の構成を示すブロック図は図１と同じである。
【００４７】
図４（ａ）は、ユーザが例えば映像情報を２タイトル記録した後のＤＶＤ＋ＲＷ（ＶＲモード）のデータ構造を示している。ファイル管理情報は、ＵＤＦといったファイルシステム情報と、光ディスク全体の制御情報であるＶＭＧと、映像データのタイトルごとの制御情報であるＶＴＳＩ＃１、＃２とから構成され、ファイル管理情報領域Ａに格納される。ユーザデータ領域Ｂには、映像情報であるＶＴＳＴＴ＿ＶＯＢＳ＃１、＃２と、ＶＴＳＩ＃１、＃２のバックアップであるＶＴＳＩ（ＢＵＰ）＃１、＃２とからなるユーザデータが記録される。全データの終端には、終端位置を示すテンポラリリードアウトが書き込まれる。
【００４８】
図４（ｂ）は、ファイル管理情報を退避させた後の光ディスク２のデータ構造を示している。制御部３の動作プログラムを格納するＲＯＭ２６には、利用可能なファイル管理情報を選び出すプログラムが組み込まれている。ユーザがデータ消去キー４１又はデータ消去ボタン５１を押し下げると、制御部３がデータ消去実行の指示を認識する。また、ユーザが、モニタ７に表示されるメニュー画面でデータ消去の項目を選択すると、制御部３はデータ消去の指示を認識する。当該指示に基づいてデータを消去する前に、制御部３は、ファイル管理情報領域Ａからデータを読み出す。読み出されたデータから、利用可能なファイル管理情報が制御部３により選び出される（情報選出手段）。利用可能なファイル管理情報には、使用可能なユーザデータを管理するＶＴＳＩ、ＶＭＧやファイルシステム情報が含まれる。選び出されない情報には、上書きや消去によって使用不可能となったユーザデータに関する情報、上書きや消去によって使用不可能となったファイル管理情報、また空き領域内の情報が含まれる。このような動作のため、退避させるデータのサイズを小さくすることができ、退避させるファイル管理情報を格納する領域のサイズを小さくできる。
【００４９】
選び出されたファイル管理情報のうち、同一のユーザデータを管理する分割されたファイル管理情報は制御部３により最適化される。制御部３は、ユーザデータ領域Ｂの外側であってテンポラリリードアウト上に、ヘッダと、最適化されたファイル管理情報と、ヘッダのバックアップを書き込んでファイル管理情報を退避させる。光ヘッド６は、退避されたファイル管理情報が格納される領域の外側であって、ヘッダのバックアップの外側に、テンポラリリードアウトを新たに書き込む。ファイル管理情報退避の後、制御部３は光ヘッド６を用いてファイル管理情報領域Ａのデータを全て消去する。このような構成のため、ユーザ以外の第三者がデータの消去を光ディスク記録装置１に指示し、データが消去された場合等に、ファイル管理情報領域Ａのデータが消去されても、データを退避させているため再度当該データを利用することが可能である。また、光ディスク２の特定領域にファイル管理情報を退避させるため、退避されたファイル管理情報の上に新たなデータが記録されるまで、ファイル管理情報を復帰させることが可能となる。また、ファイル管理情報を、情報退避のための他の記憶媒体ではなく光ディスク２の特定エリアに退避させるため、部品点数を削減することができコストダウンを図ることができる。
【００５０】
図４（ｃ）は、ファイル管理情報を復帰させた後のＤＶＤ＋ＲＷ（ＶＲモード）のデータ構造を示している。ユーザデータ領域Ｂの外側に書き込まれたヘッダの情報には、ファイル管理情報領域Ａのアドレスと、退避させるデータが格納される領域のアドレスと、ファイル管理情報退避前のテンポラリリードアウトのアドレスとが含まれる。ヘッダの情報に基づいて、光ヘッド６は、退避されたファイル管理情報をユーザデータ領域Ｂの外側から読み出すと共に、読み出されたファイル管理情報をファイル管理情報領域Ａに書き込んで復帰させる。退避されたファイル管理情報が復帰した後、テンポラリリードアウトがヘッダの情報に基づいてファイル管理情報退避前の位置に記録され、更新される（不図示）。このため、データ消去後に、復帰したファイル管理情報に基づいて、データ消去前のユーザデータを再度利用することできる。
【００５１】
図５は、光ディスク記録装置１が光ディスクに記録されたデータを消去する時の当該装置の動作を示している。光ディスク記録装置１の電源をオンとし、ユーザが光ディスク２を光ディスク記録装置１に挿入すると、光ディスク記録装置１は待機状態となる。ユーザがデータの消去を制御部３に指示した場合（＃２１でＹｅｓ）、制御部３は光ヘッド６を用いて、ファイル管理情報領域Ａからデータを読み出し、読み出したデータから利用可能なファイル管理情報を選び出す（＃２２）。このため、退避データのサイズを小さくすることができる。ユーザがデータの消去を制御部３へ指示せず、他の操作を行わない場合（＃２１でＮｏ）、光ディスク記録装置１は待機状態にある。
【００５２】
制御部３は、選び出したファイル管理情報の最適化を行う（＃２３）。制御部３の動作プログラムを格納するＲＯＭ２６には、データ最適化を行うプログラムが組み込まれている。ＤＶＤ＋ＲＷは書き換え型光ディスクであるため、一定回数まで書き換えが可能である。書き換えの際、既に書き込まれているファイル管理情報の上に、新たなファイル管理情報を書き込む場合がある。両情報のサイズが異なり、新たなファイル管理情報のサイズの方が大きい場合、差分のデータは別の位置に書き込まれることがある。また、空き領域に新たなファイル管理情報を書き込む場合も同様である。このような場合、同一のユーザデータに関するファイル管理情報が分割されてファイル管理情報領域Ａに格納される。制御部３は、読み出したファイル管理情報のうち、同一のユーザデータを管理する分割されたファイル管理情報を結合し、データを最適化する（データ最適化手段）。このため、データ消去後であってファイル管理情報の復帰後に、ファイル管理情報へのアクセス時間を短縮することができる。分割され、一続きでないエリアに格納されたファイル管理情報へアクセスする必要がなくなる。
【００５３】
光ヘッド６は制御部３からの信号に基づいて、最適化したファイル管理情報を、ユーザデータ領域Ｂの外側にヘッダとそのバックアップと共に書き込んで退避させる（＃２４）。このため、ファイル管理情報領域Ａのデータを消去した後に、当該領域に格納されていたファイル管理情報を再度用いることができる。また、ファイル管理情報を光ディスク２内の特定の領域に退避させるため、当該情報を退避させる目的で他の記憶媒体を用いる必要がなく、部品点数を減らしてコストダウンを図ることができる。
【００５４】
ファイル管理情報退避後、退避されたファイル管理情報を格納する領域の外側であって、ヘッダのバックアップの外側に、全データの終端位置を示すテンポラリリードアウトが光ヘッド６により書き込まれる（＃２５）。その後、ファイル管理情報領域Ａ内の全データが消去される（＃２６）。
【００５５】
データ消去後、ユーザがデータ消去実行指示の取消を行わない場合（＃２７でＮｏ）、一連の動作が終了する。ユーザがデータ消去実行の取消を制御部３に指示した場合（＃２７でＹｅｓ）、制御部３は、ヘッダの情報に基づいて、ユーザデータ領域Ｂ外側に退避させたファイル管理情報を読み出し、当該ファイル管理情報をファイル管理情報領域Ａへ書き込んで復帰させる（＃２８）。ファイル管理情報の復帰後、テンポラリリードアウトが、ファイル管理情報退避前の位置に書き込まれる（＃２９）。その後、一連の動作が終了する。このような手順により、ユーザは、データ消去前のファイル管理情報を利用でき、当該ファイル管理情報によって管理されているユーザデータを再び利用することができる。
【００５６】
なお、本発明は、上記各種実施形態の構成に限られず、発明の趣旨を変更しない範囲で種々の変形が可能である。例えば、光ディスク２はＤＶＤ＋ＲＷとに限定されず、ＣＤ−ＲＷ、ＤＶＤ−ＲＡＭやＤＶＤ−ＲＷであっても構わない。光ディスク記録装置１はＤＶＤレコーダに限定されず、光パソコンなどの電子機器に搭載されるＤＶＤ＋ＲＷドライブや、ＤＶＤ−ＲＷドライブ、ＤＶＤ−ＲＡＭドライブやＣＤ−ＲＷドライブであっても構わない。光ディスク２に書き込まれるユーザデータは映像情報に限定されず、音楽、音声、文書などのデータであってもよい。
【図面の簡単な説明】
【００５７】
【図１】本発明の第１の実施形態による光ディスク記録装置の構成を示すブロック図。
【図２】上記光ディスク記録装置に用いられる光ディスク（ＤＶＤ＋ＲＷ）のデータ構造を示す図。
【図３】上記光ディスク記録装置が光ディスクに記録されたデータを消去する時の当該装置の動作を示すフローチャート
【図４】本発明の第２の実施形態による光ディスク記録装置に用いられる光ディスク（ＤＶＤ＋ＲＷ）のデータ構造を示す図。
【図５】上記光ディスク記録装置が光ディスクに記録されたデータを消去する時の当該装置の動作を示すフローチャート。
【符号の説明】
【００５８】
１  光ディスク記録装置
２  光ディスク
３  制御部
４  リモコン
５  操作部
６  光ヘッド
４１  データ消去キー
４２  データ消去取消キー
５１  データ消去ボタン
５２  データ消去取消ボタン
Ａ  ファイル管理情報領域
Ｂ  ユーザデータ領域
【図１】
2007080361.tif 000003
【図２】
2007080361.tif 000004
【図３】
2007080361.tif 000005
【図４】
2007080361.tif 000006
【図５】
2007080361.tif 000007